(57)【要約】      （修正有）【課題】土踏まず及び足全体を快適にマッサージする足用マッサージ装置を提供する。【解決手段】足を包むように設定され足包囲袋２２と、該足包囲袋の内側で土踏まずに対応する位置に設けられる土踏まず押圧袋２４とを有する。土踏まず押圧袋は、土踏まずの表面に対向する押圧シート部３６と、該押圧シート部と足包囲袋との間で押圧シート部に重ねて設けられ、第２空気室４０を画定する支持シート部４２とを有する。足包囲袋の内側シート部３０と土踏まず押圧袋の支持シート部が、相互に連通された連通口を有し、第１空気室３２に圧縮空気を導入して該足包囲袋を膨張させて足をその周囲から押圧すると同時に、圧縮空気が第２空気室内に導入されて該土踏まず押圧袋が足包囲袋と土踏まずとの間で膨張して、土踏まずを押圧する。【選択図】図２
2011030948.tif 000002
【特許請求の範囲】
【請求項１】
身体の所要の部位を包むように設定され、該部位の周囲表面に面する内側シート部と、該内側シート部の外側に重ねられ、内側シート部との間に圧縮空気を受け入れる第１空気室を画定する外側シート部とを有する包囲袋と、
該包囲袋の内側における、特定部位に対応する位置に設けられる小袋であって、該特定部位の表面に面する押圧シート部と、該押圧シート部と包囲袋の内側シート部との間で押圧シート部に重ねて設けられ、押圧シート部との間に圧縮空気を受け入れる第２空気室を画定する支持シート部とを有する特定部位押圧袋と、
を有し、該包囲袋の内側シート部と該特定部位押圧袋の支持シート部が、相互に連通された連通口を有し、第１空気室に圧縮空気を導入して該包囲袋を膨張させて該所要部位をその周囲から押圧すると同時に、該圧縮空気が第２空気室内に導入されて該特定部位押圧袋が包囲袋と特定部位との間で膨張して、該特定部位を押圧するようにした空気圧式マッサージ装置。
【請求項２】
該包囲袋を包む、膨張する包装袋を外側から抑えるスリーブを有する請求項１に記載の空気圧式マッサージ装置。
【請求項３】
該包囲袋が、それぞれ該外側シート部及び内側シート部となる、第１及び第２の同形状の樹脂製シートを重ね合わせた状態で、その周縁に沿って溶着して形成され、該第１の樹脂製シートに圧縮空気導入用の空気入口が形成されている請求項１又は２に記載の空気圧式マッサージ装置。
【請求項４】
特定部位押圧袋が、それぞれ該押圧シート部及び支持シート部となる、第３及び第４の同形状の樹脂製シートを重ね合わせた状態で、その周縁に沿ってシールして形成され、第４の樹脂製シートがその中央部分に該連通口を有し、該第２の樹脂製シートに設けられている該連通口と整合するようにして該第２の樹脂製シート上に重ね合わされた状態で両連通口の周囲で、該第２の樹脂製シートにシールされて該第２の樹脂製シートに付着されるようにした請求項３に記載の空気圧式マッサージ装置。
【請求項５】
包囲袋が足を包むようにされ、特定部位押圧袋が土踏まずに対応する位置に設けられる小袋の形状の土踏まず押圧袋とされ、該第１空気室に圧縮空気を導入して該包囲袋を膨張させて足をその周囲から押圧すると同時に、該圧縮空気が第２空気室内に導入されて該土踏まず押圧袋が足包囲袋と土踏まずとの間で膨張して、該土踏まずを押圧するようにした空気圧式マッサージ装置。
【発明の詳細な説明】
【技術分野】
【０００１】
本発明は、圧縮空気を用いた空気圧式のマッサージ装置に係り、特に、足裏の土踏まずなどの比較的小さな特定部位を効果的にマッサージすることを可能としたマッサージ装置に関する。
【背景技術】
【０００２】
足の周囲に膨張可能としたマッサージバッグを設定し、このマッサージバッグに圧縮空気を周期的に供給・排出することにより足に周期的な圧迫を与えてマッサージを行うようにした空気圧式の足用マッサージ装置は、これまで種々開発されてきており（例えば、特許文献１参照）、また、土踏まずのマッサージを目的にしたものも開発されてきている（例えば、特許文献２参照）。
【０００３】
特許文献２に開示された足用マッサージ装置は、足の裏側の土踏まず側から表側の甲の部分を包むようにした帯状部材と、該帯状部材の内側で土踏まずに対応する位置に設けられ圧縮空気によって膨張可能とされた小袋状のマッサージバッグとを備え、このマッサージバッグに圧縮空気を周期的に供給・排出することにより土踏まずのマッサージを行うようになっている。
【０００４】
しかし、このマッサージ装置では、膨張するマッサージバッグが土踏まずを押圧するようにするために、帯状部材をある程度足の周りに締め付けた状態で取り付ける必要があり、マッサージバッグから圧縮空気を排出した状態でも、足の締め付け感があり、このため満足のいくマッサージを行うことが難しい。
【先行技術文献】
【特許文献】
【０００５】
【特許文献１】特開平７-１８４９６９号
【特許文献２】実用新案登録第２５８２２７７号
【発明の概要】
【発明が解決しようとする課題】
【０００６】
本発明は、上記の点に鑑み、圧縮空気の供給により、土踏まずなどの小さな特定部位の押圧を適切にできるようにすると共に、圧縮空気を排出したときには当該部位に対する圧迫感を略完全に取り除いた状態にすることが可能なマッサージ装置を提供することを目的とするものである。
【課題を解決するための手段】
【０００７】
すなわち、本発明は、
身体の所要の部分を包むように設定され、該部分の表面に面する内側シート部と、該内側シート部の外側に重ねられ、内側シート部との間に圧縮空気を受け入れる第１空気室を画定する外側シート部とを有する包囲袋と、
該包囲袋の内側において、該身体の所要の部分おける特定部位に対応する位置に設けられ、該特定部位の表面に面する押圧シート部と、該押圧シート部と包囲袋の内側シート部との間で該押圧シート部に重ねて設けられ、該押圧シート部との間に圧縮空気を受け入れる第２空気室を画定する支持シート部とを有する特定部位押圧袋と、
を有し、該包囲袋の内側シート部と該特定部位押圧袋の支持シート部が、相互に連通された連通口を有し、第１空気室に圧縮空気を導入して該包囲袋を膨張させて該所要部分をその周囲から押圧すると同時に、該圧縮空気が第２空気室内に導入されて該特定部位押圧袋が足包囲袋と土踏まずとの間で膨張して、該特定部位を押圧するようにした空気圧式のマッサージ装置を提供する。
【０００８】
この足用マッサージ装置では、圧縮空気が供給されると、包囲袋が膨張されると同時に特定部位押圧袋も包囲袋の内側で膨張されるので、押圧袋の外側への膨張が抑えられ、押圧袋の膨張による押圧力が特定部位に十分に加えられることになる。また、圧縮空気を排出した場合には、包囲袋及び特定部位押圧袋も同時に収縮するので、これらによる押圧力は略完全になくなり弛緩状態が得られる。従って、このマッサージ装置では前述の従来のものに比べて、快適なマッサージ感を得ることが可能となる。
【０００９】
具体的には、このマッサージ装置は、包囲袋を包み、該足包囲袋の外側への膨張を抑えるためのスリーブを有するようにすることができる。包囲袋の外側への膨張を抑えて、包囲袋及び特定部位押圧袋によるそれらによる押圧力を十分なものするためのものである。
【００１０】
包囲袋が、それぞれ上記外側シート部及び内側シート部となる第１及び第２の同形状の樹脂製シートを重ね合わせた状態で、その周縁に沿って溶着して形成され、該第１の樹脂製シートに圧縮空気導入用の空気入口が形成されるようにしたものとすることができる。
【００１１】
より具体的には、特定部位押圧袋が、それぞれ上記押圧シート部及び支持シート部となる第３及び第４の同形状の樹脂製シートを重ね合わせた状態で、その周縁に沿ってシールして形成され、第４の樹脂製シートがその中央部分に該連通口を有し、該第２の樹脂製シートに設けられている該連通口と整合するようにして該第２の樹脂製シート上に重ね合わされた状態で両連通口の周囲で、該第２の樹脂製シートにシールされて該第２の樹脂製シートに付着されるようにすることができる。
【００１２】
更に具体的な例としては、包囲袋が足を包むようにされ、特定部位押圧袋が土踏まずに対応する位置に設けられる小袋の形状の土踏まず押圧袋とされ、該第１空気室に圧縮空気を導入して該包囲袋を膨張させて足をその周囲から押圧すると同時に、該圧縮空気が第２空気室内に導入されて該土踏まず押圧袋が足包囲袋と土踏まずとの間で膨張して、該土踏まずを押圧するようにすることができる。
以下、本発明を添付図面に示した実施形態に基づき説明する。
【図面の簡単な説明】
【００１３】
【図１】本発明が適用可能な空気圧式マッサージ装置の使用状態を示す斜視図である。
【図２】図１のマッサージ装置におけるマッサージバッグ部分の概要を示す縦断面図である。
【図３】制作途中の足包囲袋及び土踏まず押圧袋の平面図である。
【図４】図３におけるＩＶ‐ＩＶ線断面図である。
【発明を実施するための形態】
【００１４】
図１は、本発明が適用可能な空気圧式マッサージ装置１０を示している。この空気圧式マッサージ装置は、圧縮空気の供給・排出を制御するためのマッサージ装置本体１２、及び、使用者の脚の周りに装着され圧縮空気によって膨張収縮され脚のマッサージを行うマッサージバッグ１４とを有している脚用のマッサージ装置である。マッサージバッグ１４は、複数のマッサージバッグ部分１４ａ、１４ｂ、１４ｃ、１４ｄに分けられており、各マッサージバック部分はマッサージ装置本体１２からのそれぞれ独立した空気供給チューブに接続されている。
【００１５】
本発明は、このような脚用のマッサージ装置１０のマッサージバッグ１４のマッサージバッグ部分１４ａに適用するのに適したものであるが、以下においては、このマッサージバッグ部分１４ａに相当する、図２に示す、足用マッサージ装置２０に基づき説明する。この足用マッサージ装置２０は、図示はしないが、マッサージバッグ部分１４ａと同様に外部から圧縮空気を受け入れるようにされている。
【００１６】
具体的には、この足用マッサージ装置２０は、足Ｆを包むように設定される足包囲袋２２と、該足包囲袋の内側で土踏まずＡに対応する位置に設けられる土踏まず押圧袋２４と、足包囲袋の外側に設けられて、該足包囲袋の外側への膨張を抑えるための外側スリーブ２６と、内側に設けられて足の表面と柔らかく接触するようにされる内側スリーブ２７とを有する。
【００１７】
足包囲袋２２は、樹脂製シート材から作られ、内側シート部３０と、該内側シート部の外側に重ねられ、内側シート部３０との間に圧縮空気を受け入れる第１空気室３２を画定する外側シート部３４とを有する。
【００１８】
土踏まず押圧袋２４は、樹脂製シート材から作られ、足包囲袋２２の内側で土踏まずＡに対応する位置に設けられる小袋である。該土踏まず押圧袋２４は、土踏まずＡの表面に対向する押圧シート部３６と、該押圧シート部３６と足包囲袋２２の内側シート部３０との間で押圧シート部に重ねて設けられ、押圧シート部との間に圧縮空気を受け入れる第２空気室４０を画定する支持シート部４２とを有する。
【００１９】
図３及び図４は、制作途中の足包囲袋と２２及び土踏まず押圧袋２４を示す。すなわち、足包囲袋２２は、くるぶしの周囲を包むようになる幅広部分４４、該幅広部分から延び足の下面に配置されるようになる中央部分４６、足の左右側部から上部側配置されるようになる左右部分４８，５０とからなる同形の第１及び第２の樹脂製シート５２，５４を重ねて、その周縁部分でヒートシールしたものである。足を包む筒状の状態にするには、中央部分４６の右側縁部４６ａを右側部分５０の左側縁部５０ｂと溶着し、中央部４６の左側縁部４６ｂを左側部分４８の右側縁部４８ａと溶着し、左側部分４８の左側縁部４８ｂと右側部分５０の右側縁部５０ａとを溶着するものであり、第１樹脂製シート５２は足包囲袋の外側シート部３４，第２樹脂製シート５４は内側シート部３０とされる。第１シートには、圧縮空気を導入するための空気入口５６が設けられている。足包囲袋２２は、スリーブ２６が図１に示すマッサージバッグ１４におけるように、ジッパーＺなどにより筒状にするものにあっては、左側部分４８の左側縁部４８ｂと右側部分５０の右側縁部５０ａとを溶着せずに当該足包囲袋自体を筒状としない状態で、スリーブ２６の内面に貼り付け、スリーブを足の周りに配置してジッパーにより該スリーブを筒状にすることにより、当該足包囲袋を足の周りで筒状に設定するようにすることもできる。
【００２０】
同様に、土踏まず押圧袋２４は円形の第３及び第４樹脂製シート６０、６２を重ねて、その周縁部分でヒートシールしたものであり、第３及び第４樹脂製シートは当該土踏まず押圧袋２４の押圧シート部３６及び支持シート部４２とされる。
【００２１】
足包囲袋２２の第２樹脂製シート５４（内側シート部３０）と土踏まず押圧袋２４の第４樹脂製シート６２（支持シート部４２）は、相互に連通された連通口６４、６６を有し、該連通口の周囲部分６８で溶着されている。すなわち、圧縮空気を空気入口５６から足包囲袋２２の第１空気室３２内に導入して足包囲袋を膨張させるときに、該圧縮空気は連通口６４、６６を介して土踏まず押圧袋の第２空気室４０内に導入されて該土踏まず押圧袋２４が、足包囲袋と土踏まずとの間で同時に膨張するようになっている。
【００２２】
外側スリーブ２６は、布製などの余り延びない材料で作られており、足包囲袋が膨張されるときに、その膨張を外側から抑えて、膨張の力を足の方に向けるようにする。
【００２３】
以上、本発明を土踏まずを押圧するための土踏まず袋を備えた足用のマッサージ装置に適用した実施形態につき説明したが、本発明はこれに限定されるものではない。例えば、包囲袋を腕の周りに取り付け、包囲袋を取り付けたところにある特定のツボに押圧袋を位置決めして同ツボを効果的に押圧するようにすることもできる。また、特定押圧袋は１つに限らず、２つ以上とすることができる。
【符号の説明】
【００２４】
足Ｆ；ジッパーＺ；マッサージ装置１０；マッサージ装置本体１２；マッサージバッグ１４；マッサージバッグ部分１４ａ、１４ｂ、１４ｃ、１４ｄ；足包囲袋２２；土踏まずＡ；土踏まず押圧袋２４；スリーブ２６；内側スリーブ２７；内側シート部３０；第１空気室３２；外側シート部３４；押圧シート部３６；第２空気室４０；支持シート部４２；幅広部分４４；中央部分４６；右側縁部４６ａ；左側縁部４６ｂ；左側部分４８；右側縁部４８ａ；左部分４８ｂ；右部分５０；右側縁部５０ａ；左側縁部５０ｂ；第１の樹脂製シート５２；第２の樹脂製シート５４；空気入口５６；第３樹脂製シート６０；第４樹脂製シート６２；連通口６４、６６
【図１】
2011030948.tif 000003
【図２】
2011030948.tif 000004
【図３】
2011030948.tif 000005
【図４】
2011030948.tif 000006